(57)【要約】【課題】雨水を生活を営む上で有効利用すると共に、各家庭において雨水を溜めることにより河川に流入する雨水の量を減少させる。また床下を利用して雨水を貯溜するようにする。【解決手段】雨樋４から流下する雨水を浄水装置５に流入させて濾過する。清浄にした雨水を床下に配設した所定容量の袋状雨水貯溜容器９内に送り、ここで貯溜する。必要時にポンプ１１を作動させ、袋状雨水貯溜容器９内の雨水を汲み出し、送水する。また、防災無線放送から大雨警報が発せられると、受信装置１６からの信号によってポンプ１１を作動させると共にパイプ１３の途中部から分岐するパイプ１８の途中部に設けた電磁弁１９を切り換え、袋状雨水貯溜容器９内を空の状態にする。【選択図】        図１
2004346496.tif 000002
【特許請求の範囲】
【請求項１】
雨樋から流下する雨水を流入させ、これを濾過して清浄にする浄水装置と、床下に配設し、前記浄水装置にパイプを介して接続した所定容量の袋状雨水貯溜容器と、前記袋状雨水貯溜容器にパイプを介して接続した、該袋状雨水貯溜容器内の水を汲み出し、パイプを介して適宜の用途に用いるために送水するポンプと、前記浄水装置に一端側を接続すると共に他端側を下水用等のマス内に臨ませた、前記袋状雨水貯溜容器内が満水になったときに溢れた水を放出するためのドレンパイプとからなる床下を活用した雨水貯溜システム。
【請求項２】
袋状雨水貯溜容器を複数並設し、該袋状雨水貯溜容器の夫々を浄水装置とポンプに接続してなる請求項１記載の床下を活用した雨水貯溜システム。
【請求項３】
防災無線放送を受信する受信装置を備え、防災無線放送から大雨情報が発せられるとポンプを作動させると共にポンプによって送水するパイプの途中部から分岐するパイプの途中部に設けた電磁弁を切り換えて下水用等のマスに放出し、袋状雨水貯溜容器内を空の状態にするようになした請求項１又は２記載の床下を活用した雨水貯溜システム。
【発明の詳細な説明】
【０００１】
【発明の属する技術分野】
本発明は床下を活用した雨水貯溜システムに関するものである。
【０００２】
【従来の技術】
雨水はこれまで一般の家庭において生活を営む上で利用されることはなかった。即ち、雨水は自然に地面にしみ込むか、或いは下水管等を通って河川に流入し、海に流れだすことが普通であった。
【０００３】
しかし、雨水も水である以上、適宜に処理して生活を営む上で有効利用することができるようにすれば、水道水の使用量を減少させて、節水等に役立つことは明らかである。そしてまた、床下は大きなスペースであり乍ら通常は何ら有効に活用されていない。したがって、このスペースを利用するようにすれば、貯水のために特別なスペースを確保する必要がない。また、長雨が続き、降雨量が増大したときには河川が氾濫し、堤防の決壊を招くこともある。
【０００４】
【発明が解決しようとする課題】
本発明は上記の点に鑑みなされたものであって、雨水を生活を営む上で有効利用することができ、而も床下のスペースを利用することによって貯水のための特別なスペースを確保する必要がなく、加えて各家庭において雨水を溜めることにより河川に流入する雨水の量を減少させ、もって堤防の決壊等を防ぐことができるようになした床下を活用した雨水貯溜システムを提供せんとするものである。
【０００５】
【課題を解決するための手段】
而して、本発明の要旨とするところは、雨樋から流下する雨水を流入させ、これを濾過して清浄にする浄水装置と、床下に配設し、前記浄水装置にパイプを介して接続した所定容量の袋状雨水貯溜容器と、前記袋状雨水貯溜容器にパイプを介して接続した、該袋状雨水貯溜容器内の水を汲み出し、パイプを介して適宜の用途に用いるために送水するポンプと、前記浄水装置に一端側を接続すると共に他端側を下水用等のマス内に臨ませた、前記袋状雨水貯溜容器内が満水になったときに溢れた水を放出するためのドレンパイプとからなる床下を活用した雨水貯溜システムにある。
【０００６】
また、上記構成において、袋状雨水貯溜容器を複数並設し、該袋状雨水貯溜容器の夫々を浄水装置とポンプに接続するようにしてもよい。
【０００７】
また、上記構成において、防災無線放送を受信する受信装置を備え、防災無線放送から大雨情報が発せられるとポンプを作動させると共にポンプによって送水するパイプから分岐するパイプの途中部に設けた電磁弁を切り換えて下水用等のマスに放出し、袋状雨水貯溜容器内を空の状態にするようになしてもよい。
【０００８】
【発明の実施の形態】
以下、本発明の実施の形態について、図面を参照しつつ詳細に説明する。
図１は本発明に係る床下を活用した雨水貯溜システムの説明図である。
【０００９】
図中、１は床下を活用した雨水貯溜システムである。２は家屋、３は屋根、４は雨樋である。
【００１０】
５は浄水装置であり、前記雨樋４からパイプ４ａを介して流下する雨水を流入させ、これを濾過して清浄にするものである。また、該浄水装置５は、本実施形態ではタンク状をなして内部に種類の異なる濾材６、７を二層にして充填し、上部側壁に設けた雨水流入口５ａの内部に網状フィルター８を設けている。
【００１１】
９は床下２ａに配設し、前記浄水装置５にパイプ１０を介して接続した所定容量の袋状雨水貯溜容器である。尚、該袋状雨水貯溜容器９は、本実施形態では直径３０ｃｍ、長さ３〜６ｍとしている。そしてまた、本実施形態では斯かる袋状雨水貯溜容器９を５本並設（図示せず。）し、これらを夫々前記浄水装置５と後記ポンプに接続している。
【００１２】
１１は前記袋状雨水貯溜容器９にパイプ１２を介して接続した、該袋状雨水貯溜容器９内の水を汲み出し、パイプ１３を介して適宜の用途に用いるために送水するポンプである。尚、貯溜した雨水は、例えば植物への散水、洗車、道路への水撒き、トイレの洗浄水、消火や防火等、生活を営む上で必要な様々な用途に用いるものである。また、該ポンプ１１は、１００Ｖの電源によって作動し、スイッチがＯＮの状態であれば自動運転するようになしている。
【００１３】
１４は前記浄水装置５の上部側壁に一端側を接続すると共に他端側を下水用等のマス１５内に臨ませた、前記袋状雨水貯溜容器９内が満水になったときに溢れた水を放出するためのドレンパイプである。
【００１４】
１６は防災無線放送を受信する受信装置であり、１７はその防災無線放送の周波数と合わせた周波数としたアンテナである。１８は前記ポンプ１１によって送水するパイプ１３の途中部から分岐するパイプであり、他端側は前記下水用等のマス１５内に臨ませている。また１９は前記パイプ１８の途中部に設けた電磁弁である。そしてまた、前記受信装置１６と電磁弁１９は適宜の電気配線をもって接続しており、受信装置１６からの信号によって該電磁弁１９が適宜作動するようにしている。
【００１５】
次に、上記実施形態の作用について説明する。
雨水は雨樋４から流下して浄水装置５内に流入する。そして混入しているゴミ等の不純物は網状フィルター８と濾材６、７によって除去され、清浄にされる。そしてまた、このようにして清浄にされた雨水は、パイプ１０を通って袋状雨水貯溜容器９内に入り、ここで貯溜される。そして、必要があるときにはポンプ１１を作動させ、この貯溜された雨水を汲み出して使用するものである。
【００１６】
また、防災無線放送から大雨警報が発せられると、これを受信した受信装置１６から信号が送られ、電磁弁１９が切り換わる。そして袋状雨水貯溜容器９内の水を汲み出してパイプ１３、１８を経て下水用等のマス１５に放出するものである。これにより袋状雨水貯溜容器９内を空の状態とし、雨水をできる範囲で収容することができるようにするものである。
【００１７】
【発明の効果】
本発明は上記の如き構成、作用であるから、雨水を生活を営む上で有効利用することができるものである。而も普段は使われない床下のスペースを利用するものであり、もって貯水のための特別なスペースを確保する必要がないものである。加えて、各家庭において雨水を溜めることにより河川に流入する雨水の量を減少させ、もって堤防の決壊等を防ぐことができるものである。
【図面の簡単な説明】
【図１】本発明に係る床下を活用した雨水貯溜システムの説明図である。
【符号の説明】
１  雨水貯溜システム
４  雨樋
５  浄水装置
６、７  濾材
８  フィルター
９  袋状雨水貯溜容器
１０  パイプ
１１  ポンプ
１２、１３  パイプ
１４  ドレンパイプ
１５  下水用等のマス
１６  防災無線の受信装置
１７  アンテナ
１８  パイプ
１９  電磁弁
【図１】
2004346496.tif 000003